(57)【要約】【課題】窓用開口部の開口の大きさを屋内外方向の各部において同一の大きさとして窓用開口部の構造が簡略化して形成が容易にしたにもかかわらず、サッシ窓枠の屋内側の露出部分を簡単な構成で隠して屋内側において結露が発生しない。【解決手段】建物の窓用開口部１内の屋外側にアルミサッシ製のサッシ窓枠２を嵌め込んで取付け、窓用開口部１内の屋内側に人工木又は木よりなる非金属製の化粧開口枠３を取付けた窓の構造である。窓用開口部１の開口の大きさを屋内外方向の各部において同一の大きさとする。化粧開口枠３の窓用開口部１内の屋内側の内周面に当接する主体部４の屋外側端部に内側突出片５を突設する。化粧開口枠３の屋外側端部に突設した内側突出片５によりサッシ窓枠２の屋内側面を覆う。【選択図】        図１
2004150085.tif 000002
【特許請求の範囲】
【請求項１】
建物の窓用開口部内の屋外側にアルミサッシ製のサッシ窓枠を嵌め込んで取付け、窓用開口部内の屋内側に人工木又は木よりなる非金属製の化粧開口枠を取付けた窓の構造であって、窓用開口部の開口の大きさを屋内外方向の各部において同一の大きさとし、化粧開口枠の窓用開口部内の屋内側の内周面に当接する主体部の屋外側端部から主体部に対して直角に内方に向けて内側突出片を突設し、化粧開口枠の屋外側端部に突設した内側突出片によりサッシ窓枠の屋内側面を覆って成ることを特徴とする窓の構造。
【請求項２】
内側突出片の突出先端部から屋外側に向けて突出する屋外側突出片を設け、内側突出片の突出先端部の屋外側突出片の突出部分よりもやや手前から屋外側に向けて第２屋外側突出片を突設し、上記屋外側突出片と第２屋外側突出片とで屋外側に開口した嵌め込み凹部を形成し、サッシ窓枠の屋内側面の内側端部に屋内側突出リブを屋内側に向けて突出し、屋内側突出リブに嵌め込み凹部を嵌め込むと共に屋内側突出リブの内周面に屋外側突出片を重複して覆って成ることを特徴とする請求項１記載の窓の構造。
【請求項３】
サッシ窓枠の屋内側面の内側端部の屋内側突出リブの突出部分よりもやや手前から室内に向けて第２屋内側突出リブを突設し、上記屋内側突出リブと第２屋内側突出リブとで室内側に開口する嵌め込み溝部を形成し、嵌め込み溝部にパッキンを充填し、嵌め込み溝部に第２屋外側突出片を嵌め込んで第２屋外側突出片をパッキンに圧入し、屋内側突出リブに嵌め込み凹部を嵌め込むと共に屋内側突出リブの内周面に屋外側突出片を重複して覆って成ることを特徴とする請求項２記載の窓の構造。
【請求項４】
窓用開口部の内周面と、サッシ窓枠の屋内側面と、内側突出片とで囲まれた空所に気密パッキンを充填して成ることを特徴とする請求項２又は請求項３記載の窓の構造。
【発明の詳細な説明】
【０００１】
【発明の属する技術分野】
本発明は、窓の構造に関するものである。
【０００２】
【従来の技術】
従来から、建物の窓用開口部内の屋外側にアルミサッシ製のサッシ窓枠を嵌め込んで取付け、窓用開口部内の屋内側に木製の額縁よりなる化粧開口枠を取付けるものが知られている。そして、従来にあっては、屋内側においてはサッシ窓枠が露出しているので、サッシ窓枠の露出部分で結露し、結露水がサッシ窓枠と化粧開口枠との間から化粧開口枠の裏面に浸入し、化粧開口枠、下地桟の腐食の原因となり、また、壁パネルの内部に水が浸入し、パネル枠、外装材の吸水による凍害・膨潤などの問題を引き起こしている。
【０００３】
そこで、サッシ窓枠の露出部分を化粧開口枠で覆うようにしてサッシ窓枠が屋内側において極力露出しないようにしてサッシ窓枠の屋内側に結露が発生しないようにするものが知られている。（例えば特許文献１参照）
【０００４】
【特許文献１】
特開２００２−１６１６７１号公報（図９）
【０００５】
【発明が解決しようとする課題】
上記特許文献１に示される従来例は図４に示すようなもので、木製の額縁よりなる化粧開口枠３’の屋外側の端面部でサッシ窓枠２’の屋内側の露出部分を覆っているが、このように、化粧開口枠３’の屋外側の端面部でサッシ窓枠２’の屋内側の露出部分を覆う構造にすると、図４の寸法Ｍで示す化粧開口枠３’の屋内側における開口寸法が、サッシ窓枠２’の屋内側における開口寸法Ｎと同じか若しくは小さくなってしまうという問題がある。
【０００６】
つまり、屋内側において化粧開口枠３’の開口寸法が小さくなってしまって、窓部分が狭苦しい印象を与え、屋内空間が狭くなってしまう。また、サッシ窓枠２’の屋内側の露出部を化粧開口枠３’で隠す構造であるため、化粧開口枠３’を構成する各額縁３ａ’、３ｂ’の厚みが厚くなり、コストが高くなるという問題がある。また、上記特許文献１にあっては、窓用開口部１’の開口の大きさが屋内外方向の各部において同一の大きさなっておらず、特に、窓用開口部１’の開口の下部においては段状となるようにしている。これは、窓用開口部１’の開口の下部を段状にしなければ化粧開口枠３’の下額縁３ｂ’の厚みが更に厚くなるのを避けるためであるが、図４のように窓用開口部１’の開口の大きさを屋内外方向の各部において同一の大きさとなっておらず、一部が段状部１ａ’となっているため、窓用開口部１’の構造が複雑となって形成に手間がかかるものである。
【０００７】
更に、図４に示す特許文献１に示される従来例にあっては、化粧開口枠３’の屋外側の端面部でサッシ窓枠２’の屋内側の露出部分を覆っているだけなので、化粧開口枠３’とサッシ窓枠２’との間から湿気が化粧開口枠３’の裏面側に侵入して、化粧開口枠３’や下地桟の腐れの原因となるおそれがある。
【０００８】
本発明は上記の点に鑑みてなされたものであり、窓用開口部の開口の大きさを屋内外方向の各部において同一の大きさとして窓用開口部の構造が簡略化して形成が容易にしたにもかかわらず、サッシ窓枠の屋内側の露出部分を簡単な構成で隠して屋内側において結露が発生しないようにし、更に、化粧開口枠の安定的な取付けができ、また、窓の気密性が確保でき、化粧開口枠の裏面側への湿気の侵入を防止し、化粧開口枠や下地桟の腐れを防止できる窓の構造を提供するにある。
【０００９】
【課題を解決するための手段】
上記課題を解決するために本発明に係る窓の構造は、建物の窓用開口部１内の屋外側にアルミサッシ製のサッシ窓枠２を嵌め込んで取付け、窓用開口部１内の屋内側に人工木又は木よりなる非金属製の化粧開口枠３を取付けた窓の構造であって、窓用開口部１の開口の大きさを屋内外方向の各部において同一の大きさとし、化粧開口枠３の窓用開口部１内の屋内側の内周面に当接する主体部４の屋外側端部から主体部４に対して直角に内方に向けて内側突出片５を突設し、化粧開口枠３の屋外側端部に突設した内側突出片５によりサッシ窓枠２の屋内側面を覆って成ることを特徴とするものである。
【００１０】
このような構成とすることで、化粧開口枠３の内側突出片５によりサッシ窓枠２の屋内側面を覆ってサッシ窓枠２の屋内側露出部分を隠してこの部分に結露が発生しないようにできるだけでなく、窓用開口部１の開口の大きさを屋内外方向の各部において同一の大きさとし、化粧開口枠３の窓用開口部１内の屋内側の内周面に当接する主体部４の屋外側端部に内側突出片５を突設してあるので、化粧開口枠３の屋内側における開口寸法を、サッシ窓枠２の屋内側における開口寸法よりも大きくできて、屋内側における窓部分が広々とした感じとなり、狭苦しいという感じを与えないものであり、また、化粧開口枠３を構成する各額縁の厚みを薄くできてコストダウンが図れるものであり、また、窓用開口部１の開口の大きさを屋内外方向の各部において同一の大きさとしてあることで、窓用開口部１の構造が単純化できて形成も容易となるものである。
【００１１】
また、内側突出片５の突出先端部から屋外側に向けて突出する屋外側突出片６を設け、内側突出片５の突出先端部の屋外側突出片６の突出部分よりもやや手前から屋外側に向けて第２屋外側突出片８を突設し、上記屋外側突出片６と第２屋外側突出片８とで屋外側に開口した嵌め込み凹部９を形成し、サッシ窓枠２の屋内側面の内側端部に屋内側突出リブ７を屋内側に向けて突出し、屋内側突出リブ７に嵌め込み凹部９を嵌め込むと共に屋内側突出リブ７の内周面に屋外側突出片６を重複することが好ましい。
【００１２】
このような構成とすることで、化粧開口枠３を取付けるに当たって、化粧開口枠３をサッシ窓枠２に正確且つ安定して位置決めして取付けることができ、また、サッシ窓枠２の屋内側突出リブ７も屋内側に露出することがなくて、この部分においても結露が発生しないものである。
【００１３】
また、サッシ窓枠２の屋内側面の内側端部の屋内側突出リブ７の突出部分よりもやや手前から室内に向けて第２屋内側突出リブ１０を突設し、上記屋内側突出リブ７と第２屋内側突出リブ１０とで室内側に開口する嵌め込み溝部１１を形成し、嵌め込み溝部１１にパッキン１２を充填し、嵌め込み溝部１１に第２屋外側突出片８を嵌め込んで第２屋外側突出片８をパッキン１２に圧入し、屋内側突出リブ７に嵌め込み凹部９を嵌め込むと共に屋内側突出リブ７の内周面に屋外側突出片６を重複することが好ましい。
【００１４】
このような構成とすることで、化粧開口枠３を取付けるに当たって、化粧開口枠３をサッシ窓枠２によりいっそう正確且つ安定して位置決めして取付けることができ、しかも、化粧開口枠３とサッシ窓枠２との間から湿気が化粧開口枠３の裏面側に侵入するのをパッキン１２により防止することができるものである。
【００１５】
また、窓用開口部１の内周面と、サッシ窓枠２の屋内側面と、内側突出片５とで囲まれた空所１３に気密パッキン１４を充填することが好ましい。
【００１６】
このような構成とすることで、上記パッキン１２に加えて更に気密パッキン１４により化粧開口枠３とサッシ窓枠２との間から湿気が化粧開口枠３の裏面側に侵入するのを防止でき、また、気密パッキン１４によりサッシ窓枠２の屋内側端部と窓用開口部１の内周との間、化粧開口枠３の屋外側端部と窓用開口部１の内周との間を気密構造とできて、よりいっそう気密性を向上させることができるものである。
【００１７】
【発明の実施の形態】
以下、本発明を添付図面に示す実施形態に基づいて説明する。
【００１８】
図１、図２に示すように、建物の壁１５には窓用開口部１が形成してある。添付図面に示す実施形態では建物の壁１５を壁パネルで形成し、この壁パネルに窓用開口部１を形成した例が示してある。
【００１９】
本発明において、窓用開口部１の開口の大きさは屋内外方向の各部において同一の大きさとなっていて、窓用開口部１の構造が単純化できて容易に形成できるようになっている。
【００２０】
この建物の壁１５に設けた窓用開口部１内の屋外側の略半部にはアルミサッシ製のサッシ窓枠２が嵌め込んで取付けてある。添付図面に示す実施形態ではサッシ窓枠２はアルミニウム製の上下枠、両縦枠を矩形状に枠組みした屋外側サッシ枠２ａとアルミニウム製の上下枠、両縦枠を矩形状に枠組みした屋内側サッシ枠２ｂとを合成樹脂の中間部２ｃで一体化したもので、合成樹脂の中間部２ｃによりアルミニウム製の屋外側サッシ枠２ａとアルミニウム製の屋内側サッシ枠２ｂとを熱的に遮断するように接続一体化しており、サッシ窓枠２自体としても屋内側に結露が発生しにくいような構造となっている。
【００２１】
サッシ窓枠２の上下枠、両縦枠の屋内側面の内側端部にはそれぞれ屋内側突出リブ７を屋内側に向けて突出してある。更に、サッシ窓枠２の下枠、両縦枠の屋内側面の上記屋内側突出リブ７の突出部分よりもやや手前から室内に向けて第２屋内側突出リブ１０を突設してある。ここで、第２屋内側突出リブ１０が屋内側突出リブ７よりも突出長さが短くなっている。そして、サッシ窓枠２の下枠、両縦枠の屋内側面には並設する屋内側突出リブ７と第２屋内側突出リブ１０とで構成される嵌め込み溝部１１が形成してある。
【００２２】
建物の壁１５に設けた窓用開口部１内の屋内側の略半部には人工木又は木よりなる非金属製の化粧開口枠３を取付けてある。化粧開口枠３は図３（ａ）、（ｂ）、（ｃ）に示されるような上下額縁３ａ、３ｂ、両縦額縁３ｃを矩形状に枠組みして構成されるものであり、この矩形状の化粧開口枠３を構成する部材である上下額縁、両縦額縁はそれぞれ、窓用開口部１内の屋内側の内周面に当接する板状をした主体部４と、主体部４の屋外側端部から板状の主体部４に対して直角に内方に突出する内側突出片５と、内側突出片５の突出先端部から屋外側に向けて突出する屋外側突出片６と、内側突出片５の突出先端部の屋外側突出片６の突出部分よりもやや手前から屋外側に向けて突出する第２屋外側突出片８と、主体部４の屋内側端部から板状の主体部４に対して直角に外側に突出する外側突出部１６とを備えたもので、内側突出片５の先端部から内側突出片５に対して直角に屋外側に向けて並設して突出した上記屋外側突出片６と第２屋外側突出片８とで屋外側に開口した嵌め込み凹部９を形成してある。ここで、第２屋外側突出片８は屋外側突出片６よりも突出長さが短いものである。
【００２３】
しかして、上記の構成の人造木又は木製の化粧開口枠３は、屋外側突出片６と第２屋外側突出片８とで屋外側に開口した嵌め込み凹部９を形成し、サッシ窓枠２の屋内側面の内側端部に屋内側突出リブ７を屋内側に向けて突出し、屋内側突出リブ７に嵌め込み凹部９を嵌め込むと共に屋内側突出リブ７の内周面に屋外側突出片６を重複させることで、化粧開口枠３をサッシ窓枠２に対して位置決めした状態で窓用開口部１内の屋内側の略半部の内面に主体部４を沿わせて取付けるものである。この場合、嵌め込み溝部１１にパッキン１２を充填し、嵌め込み溝部１１に第２屋外側突出片８を嵌め込んで第２屋外側突出片８をパッキン１２に圧入することで、化粧開口枠３を取付けるに当たって、化粧開口枠３をサッシ窓枠２によりいっそう正確且つ安定して位置決めして取付けることができ、しかも、化粧開口枠３とサッシ窓枠２との間から湿気が化粧開口枠３の裏面側に侵入するのをパッキン１２により防止することができて、化粧開口枠３の腐食を防止し、外装材１９の吸水による凍害・膨潤などの問題が発生しないようにできるものである。
【００２４】
また、上記化粧開口枠３の取付けに当たって、窓用開口部１の内周面と、サッシ窓枠２の屋内側面と、内側突出片５とで囲まれる空所１３に気密パッキン１４を充填するものであり、このように気密パッキン１４を充填することで、パッキン１２に加えて更に気密パッキン１４により化粧開口枠３とサッシ窓枠２との間から湿気が化粧開口枠３の裏面側に侵入するのを防止でき、よりいっそう化粧開口枠３の腐食を防止し、パネル枠１８、外装材１９の吸水による凍害・膨潤などの問題が発生しないようにできるものである。また、気密パッキン１４によりサッシ窓枠２の屋内側端部と窓用開口部１の内周との間、化粧開口枠３の屋外側端部と窓用開口部１の内周との間を気密構造とできて、よりいっそう気密性を向上させることができるものである。
【００２５】
そして、化粧開口枠３の屋内側端部に設けた外側突出部１６は窓用開口部１の屋内側端部の周囲の壁内装面１７に重ねられるもので、屋内側端部において窓用開口部１の屋内側端縁部が露出しないようにしている。
【００２６】
ところで、本発明においては、化粧開口枠３の窓用開口部１内の屋内側の内周面に当接する主体部４の屋外側端部から主体部４に対して直角に内方に向けて突出した内側突出片５によりサッシ窓枠２の屋内側面（屋内側露出面）を覆うので、サッシ窓枠２の屋内側の露出部分が被覆されてこの部分に結露が発生しないようにでき、しかも、このようにサッシ窓枠２の屋内側の露出部分を化粧開口枠３で被覆して結露が発生しないようにするにもかかわらず、図１、図２に示す化粧開口枠３の主体部４における開口寸法Ｍ１、Ｍ２をそれぞれサッシ窓枠２の屋内側における開口寸法Ｎ１、Ｎ２よりも大きくでき、したがって、屋内側における窓部分が狭苦しくならず、屋内空間を広くできるものである。しかも、化粧開口枠３の主体部４の厚みを薄くできて材料費の節減を図ることができるものである。
【００２７】
【発明の効果】
上記のように本発明の請求項１記載の発明にあっては、窓用開口部の開口の大きさを屋内外方向の各部において同一の大きさとし、化粧開口枠の窓用開口部内の屋内側の内周面に当接する主体部の屋外側端部から主体部に対して直角に内方に向けて内側突出片を突設し、化粧開口枠の屋外側端部に突設した内側突出片によりサッシ窓枠の屋内側面を覆ってあるので、サッシ窓枠が屋内側において露出せずにサッシ枠の屋内側に結露が発生せず、化粧開口枠の結露による腐食を防止できるものであり、更に、窓用開口部の開口の大きさを屋内外方向の各部において同一の大きさとし、化粧開口枠の窓用開口部内の屋内側の内周面に当接する主体部の屋外側端部に内側突出片を突設してあるので、化粧開口枠の屋内側における開口寸法を、サッシ窓枠の屋内側における開口寸法よりも大きくできて、屋内側における窓部分が広々とした感じとなり、狭苦しいという感じを与えずに、屋内空間を広くできるものであり、また、化粧開口枠を構成する各額縁の厚みを薄くできてコストダウンが図れるものであり、更に、窓用開口部の開口の大きさを屋内外方向の各部において同一の大きさとしてあることで、窓用開口部の構造が単純化できて形成も容易となるものである。
【００２８】
また、請求項２記載の発明にあっては、上記請求項１記載の発明の効果に加えて、内側突出片の突出先端部から屋外側に向けて突出する屋外側突出片を設け、内側突出片の突出先端部の屋外側突出片の突出部分よりもやや手前から屋外側に向けて第２屋外側突出片を突設し、上記屋外側突出片と第２屋外側突出片とで屋外側に開口した嵌め込み凹部を形成し、サッシ窓枠の屋内側面の内側端部に屋内側突出リブを屋内側に向けて突出し、屋内側突出リブに嵌め込み凹部を嵌め込むと共に屋内側突出リブの内周面に屋外側突出片を重複して覆ってあるので、化粧開口枠を取付けるに当たって、化粧開口枠をサッシ窓枠に正確且つ安定して位置決めして取付けることができて、化粧開口枠のサッシ窓枠との接続部分の収まりが良くなるものであり、しかも、このように化粧開口枠をサッシ窓枠に対して正確に且つ安定して位置決め取付けるためのサッシ窓枠に屋内側突出リブを設けたといえども屋内側突出リブも屋内側に露出することがなくて、屋内側突出リブ部分においても結露が発生しないようにできるものである。
【００２９】
また、請求項３記載の発明にあっては、上記請求項２記載の発明の効果に加えて、サッシ窓枠の屋内側面の内側端部の屋内側突出リブの突出部分よりもやや手前から室内に向けて第２屋内側突出リブを突設し、上記屋内側突出リブと第２屋内側突出リブとで室内側に開口する嵌め込み溝部を形成し、嵌め込み溝部にパッキンを充填し、嵌め込み溝部に第２屋外側突出片を嵌め込んで第２屋外側突出片をパッキンに圧入し、屋内側突出リブに嵌め込み凹部を嵌め込むと共に屋内側突出リブの内周面に屋外側突出片を重複して覆ってあるので、化粧開口枠を取付けるに当たって、化粧開口枠をサッシ窓枠によりいっそう正確且つ安定して位置決めして取付けることができ、しかも、化粧開口枠とサッシ窓枠との間から湿気が化粧開口枠の裏面側に侵入するのをパッキンにより防止することができるものである。
【００３０】
また、請求項４記載の発明にあっては、上記請求項２又は請求項３記載の発明の効果に加えて、窓用開口部の内周面と、サッシ窓枠の屋内側面と、内側突出片とで囲まれた空所に気密パッキンを充填してあるので、上記パッキンに加えて更に気密パッキンにより化粧開口枠とサッシ窓枠との間から湿気が化粧開口枠の裏面側に侵入するのを防止でき、また、気密パッキンによりサッシ窓枠の屋内側端部と窓用開口部の内周との間、化粧開口枠の屋外側端部と窓用開口部の内周との間を気密構造とできて、よりいっそう気密性を向上させることができるものである。
【図面の簡単な説明】
【図１】本発明の横断面図である。
【図２】同上の縦断面図である。
【図３】（ａ）（ｂ）（ｃ）は同上の化粧開口枠の構成部材である上額縁、下額縁、縦額縁の断面図である。
【図４】従来例の断面図である。
【符号の説明】
１  窓用開口部
２  サッシ窓枠
３  化粧開口枠
４  主体部
５  内側突出片
６  屋外側突出片
７  屋内側突出リブ
８  第２屋外側突出片
９  嵌め込み凹部
１０  第２屋内側突出リブ
１１  嵌め込み溝部
１２  パッキン
１３  空所
１４  気密パッキン
【図１】
2004150085.tif 000003
【図２】
2004150085.tif 000004
【図３】
2004150085.tif 000005
【図４】
2004150085.tif 000006